(57)【特許請求の範囲】
【請求項１】
ラケットのグリップ部に装着される複数個のグリップ被覆体よりなるグリップ被覆体セットであって、
各グリップ被覆体の内径寸法及び重量が同一であり、各グリップ被覆体の厚みが異なっており、
最小厚みのグリップ被覆体よりも厚みが大きいグリップ被覆体には、厚み増加相当分の重量を減少させるための空所が設けられていることを特徴とするグリップ被覆体セット。
【請求項２】
請求項１において、該空所はグリップ被覆体の基端側に設けられていることを特徴とするグリップ被覆体セット。
【請求項３】
請求項１又は２において、各グリップ被覆体に、ラケットのグリップ部と係合する係合部が設けられていることを特徴とするグリップ被覆体セット。
【請求項４】
請求項３において、前記グリップ部に凸部が設けられており、該係合部は、グリップ被覆体を厚み方向に貫通する開口であることを特徴とするグリップ被覆体セット。
【請求項５】
請求項１ないし４のいずれか１項に記載のグリップ被覆体セットのうちの１個のグリップ被覆体がグリップ部に着脱可能に装着されているラケット。
【発明の詳細な説明】
【技術分野】
【０００１】
本発明は、テニスラケット、バトミントンラケット等のラケットのグリップ部に装着されるグリップ被覆体のセットと、このグリップ被覆体を備えたラケットとに関する。
【背景技術】
【０００２】
特許文献１，２に記載されているように、テニスラケット等のグリップ部にゴム、エラストマー、又は合成樹脂等の弾性材料よりなるグリップ被覆体を装着することが行われている。このグリップ被覆体をそのままプレーヤーが握ることもあるが、このグリップ被覆体の上にレザー又は合成樹脂等よりなる表装材を装着することもある。
【先行技術文献】
【特許文献】
【０００３】
【特許文献１】特開２００４−１４１１９６
【特許文献２】特開２００６−２２３６０１
【発明の概要】
【発明が解決しようとする課題】
【０００４】
上記特許文献１には、グリップ被覆体をラケットのグリップ部に対し着脱自在に装着することが記載されている。このようにグリップ被覆体を着脱自在とした場合、グリップ被覆体を厚みの異なるものに交換することにより、ラケットのグリップの太さを変えることができる。
【０００５】
しかしながら、グリップ被覆体を厚みの異なるものに変えた場合、グリップ被覆体の重量も変わるところから、ラケットの重量やバランスが変化し、プレーヤーにとって振り易さ等が微妙に変化する。
【０００６】
本発明は、グリップ被覆体として内径寸法及び重量は同一であるが厚みが異なるものを複数個用意しておき、ラケットに装着するグリップ被覆体を別サイズのものに交換することにより、ラケットの重量やバランスを変えることなくグリップ太さを変えることができるグリップ被覆体セット及びラケットを提供することを目的とする。
【課題を解決するための手段】
【０００８】
請求項１のグリップ被覆体セットは、ラケットのグリップ部に装着される複数個のグリップ被覆体よりなるグリップ被覆体セットであって、各グリップ被覆体の内径寸法及び重量が同一であり、各グリップ被覆体の厚みが異なっており、最小厚みのグリップ被覆体よりも厚みが大きいグリップ被覆体には、厚み増加相当分の重量を減少させるための空所が設けられていることを特徴とするものである。
【０００９】
請求項２のグリップ被覆体セットは、請求項１において、該空所はグリップ被覆体の基端側に設けられていることを特徴とするものである。
【００１１】
請求項３のグリップ被覆体セットは、請求項１又は２において、各グリップ被覆体に、ラケットのグリップ部と係合する係合部が設けられていることを特徴とするものである。
【００１２】
請求項４のグリップ被覆体セットは、請求項３において、前記グリップ部に凸部が設けられており、該係合部は、グリップ被覆体を厚み方向に貫通する開口であることを特徴とするものである。
【００１３】
請求項５のラケットは、請求項１ないし４のいずれか１項に記載のグリップ被覆体セットのうちの１個のグリップ被覆体がグリップ部に着脱可能に装着されているものである。
【発明の効果】
【００１４】
本発明のグリップ被覆体セットのグリップ被覆体は、内径寸法及び重量が同一であるが、各グリップ被覆体の厚みが異なる。そのため、ラケットに対しグリップ被覆体セットの中からプレーヤーの握りに適する厚みのグリップ被覆体を選んでラケットグリップ部に装着することにより、個々のプレーヤーにマッチしたグリップ太さのラケットとすることができる。もちろん、同一のプレーヤーであっても、握力の変化や、グローブ（手袋）装着の有無などに対応してグリップ太さを変えることもできる。
【００１５】
このようにグリップ被覆体を交換しても、各グリップ被覆体の重量が同一であるので、ラケットの重量や振り抜き感などには変化はない。グリップ被覆体の厚みが変化しても重量を同一とするためには、厚み増加相当分の重量を減少させるための空所をグリップ被覆体に設けるか、厚み減少相当分の重量を増加させるための高比重材を備えるのが好ましい。該空所は、プレーヤーが握ることが殆どないグリップ被覆体の基端側に設けるのが好ましい。
【００１６】
グリップ被覆体にラケットグリップ部との係合部を設けることにより、グリップ被覆体が着脱可能に装着されたラケットにおいてもグリップ被覆体をグリップ部にしっかりと装着することができる。
【図面の簡単な説明】
【００１７】
【図１】実施の形態に係るグリップ被覆体の斜視図である。
【図２】（ａ）図は実施の形態に係るグリップ被覆体の側面図、（ｂ）図はその平面図である。
【図３】（ａ）図は図２（ｂ）のIIIａ-IIIａ線に沿う断面図、（ｂ）図は図２（ａ）のIIIｂ-IIIｂ線に沿う断面図である。
【図４】実施の形態に係るグリップ被覆体とラケットとの係合関係を示す斜視図である。
【図５】図３（ａ）のＶ−Ｖ線に沿う断面図である。
【発明を実施するための形態】
【００１８】
以下、第１図〜第５図を参照して実施の形態に係るグリップ被覆体セットの１つのグリップ被覆体について説明する。
【００１９】
このグリップ被覆体１は、八角形の筒状である。グリップ被覆体１の対向する２側面１ａには、グリップ被覆体１の長手方向に間隔を置いて複数個（この実施の形態では５個）の係合部としての開口２が設けられている。
【００２０】
グリップ被覆体１の基端近傍部分３、すなわちグリップエンド側は、末端側ほど径が大きくなるようにテーパ形状（八角錐台形状）となっている。この基端近傍部分３には、厚み増加による重量増加を相殺するための空所４，５，６が設けられている。空所４は、前記１対の側面１ａの外面に設けられた凹穴よりなる。空所５は、該側面１ａと直交方向の１対の側面１ｂに設けられた凹条（溝）よりなる。空所６は、これらの側面１ａ，１ｂと斜交する４面の側面１ｃに設けられた複数個の凹穴よりなる。
【００２１】
この実施の形態では、第５図の通り、側面１ｂの内周面に、グリップ被覆体１の長手方向に延在する複数本の溝９が設けられている。この溝９は、グリップ被覆体１をラケットのグリップ部１０（第４図）に着脱するときの滑りを良くするためのものであり、先端部分から後述のインサート７部分にまで延在している。
【００２２】
この実施の形態では、グリップ被覆体１の基端部の内周面にポリプロピレン等の比較的硬質の合成樹脂よりなるインサート７が設けられている。
【００２３】
このインサート７には内向きの鍔状部７ａが設けられている。この鍔状部７ａは、蓋８を接着等によって取り付けるための取付面や、グリップ被覆体１をグリップ部１０に嵌め込んで装着するときの位置決めに利用される。インサート７の鍔状部７ａよりも奥側の内周面は、グリップ被覆体１の内周面と面一状となっている。
【００２４】
インサート７を除いて、グリップ被覆体１はスチレン系エラストマーなどのエラストマーや、ゴム、軟質合成樹脂などの弾性材料にて構成されている。エラストマーの場合、比重０．５〜１．５が好ましく（この実施の形態ではスチレン系エラストマーを用いる為０．９としている。）、ショアＡ硬度６０〜１００程度であることが好ましい。なお、１個のグリップ被覆体１において、側面１ａ，１ｂ，１ｃにおける厚みｄは同一であってもよく、異なっていてもよい。
【００２５】
グリップ被覆体セットは、厚みｄ（第５図）が異なる複数個のグリップ被覆体１よりなる。
【００２６】
グリップ被覆体１をグリップ部に装着した後、レザーなどの外装材をグリップ被覆体１の上に装着してラケットとしてもよく、外装材を装着せずにグリップ被覆体１それ自体を握るようにしたラケットとしてもよい。
【００２７】
外装材を装着するタイプのグリップ被覆体１にあっては、最も厚みの小さいグリップ被覆体で厚みｄは０．４〜１．２ｍｍであることが好ましい。ｄを０．４ｍｍ未満にするとクッション性が低下してしまい、プレーに影響が出る可能性がある。一方、１．２ｍｍよりも大きくすると、外装材を装着する関係上、薄い外装材を選ばなくてはならず、不便になる。
【００２８】
外装材を装着しないタイプのグリップ被覆体１にあっては、厚みｄは（被覆体＋レザーを想定すると）１．４ｍｍ以上程度が好ましい。
【００２９】
厚みｄの異なるグリップ被覆体であっても、内径は同一とし、空所４，５，６の数や深さを変えることにより各グリップ被覆体の重量を同一とする。
【００３０】
グリップ被覆体１をラケットのグリップ部１０に装着するには、グリップ部１０の外面に両面接着テープを貼っておき、グリップ被覆体１の内面に白ガソリン等の揮発性溶媒をスプレー等により付着させておき、グリップ被覆体１をグリップ部１０に嵌め通せばよい。
【００３１】
この実施の形態では、鍔状部７ａがグリップ部１０の後端面に突き当るまで嵌めるようにする。グリップ被覆体１を奥まで嵌め通すと、グリップ部１０に設けておいて凸部１１が開口２に係合する溶媒が揮発すると、グリップ被覆体１がグリップ部１０に固着状態となる。
【００３２】
グリップ被覆体１をグリップ部１０から取り外すには、グリップ被覆体１をカッターナイフ等で切開して引き剥す。なお、注射器のようなものでグリップ被覆体に白ガソリンを注入すると簡単に抜けるので、そのようにしてもよい。この場合グリップ被覆体を再度使うことができる。
【００３３】
このようにグリップ被覆体を交換してプレーヤーにマッチしたグリップ太さのラケットを構成することができる。
【００３４】
このラケットとしてはテニスラケット、バトミントンラケットなどが例示されるが、特にテニスラケットが好適である。
【００３５】
上記実施の形態では、空所４，５，６によって各グリップ被覆体１の重量が同一となるように重量調整しているが、グリップ被覆体１を構成するエラストマー中にタングステン、タングステン合金、銅、銅合金、ステンレス等の金属粉や比重の異なる樹脂を配合し、厚みの異なるグリップ被覆体においてこの金属粉や比重の異なる樹脂の配合量を変えることによってグリップ被覆体同士を同一重量とするようにしてもよい。
【００３６】
上記実施の形態では、硬質のインサート７を設けているので、グリップ被覆体１の基端側の硬度が高く、プレーヤーがラケットを振り回してもラケットが手から抜け出ることが防止される効果が高い。本発明では、グリップ被覆体を臭い付きのものとしてもよい。
【符号の説明】
【００３７】
１  グリップ被覆体
２  開口
４，５，６  空所
７  インサート
１０  グリップ部
【図１】
0005707888.tif 000002
【図２】
0005707888.tif 000003
【図３】
0005707888.tif 000004
【図４】
0005707888.tif 000005
【図５】
0005707888.tif 000006